(57)【要約】【課題】  収納口から排泄物を内部に収納する貯溜部を備えるおむつにおいて、皮膚にかぶれやかゆみを生じさせることなく、収納口の位置を肛門等の直下に安定して保持する。【解決手段】  収納口１２から排泄物を受け入れて内部に貯溜する貯溜部１１と、着用者の臀部の肛門の周辺に取り付けられ、収納口１２を着用者の肛門の直下に位置させて保持する保持部２１と、を備えた。そして、保持部２１は、肛門周辺に分散して配置されて臀部に吸着される複数の吸盤２２で形成した。また、貯溜部１１は、通常は折り畳まれた状態にあり、排泄物の排出時は内容積が拡張するものとした。【選択図】図１
2017006660.tif 000002
【特許請求の範囲】
【請求項１】
収納口から排泄物を受け入れて内部に貯溜する貯溜部と、
着用者の臀部の肛門または尿排泄口あるいはこれら双方の周辺に取り付けられ、前記収納口を着用者の肛門または尿排泄口あるいはこれら双方の直下に位置させて保持する保持部と、を備え、
前記保持部は、前記肛門または尿排泄口あるいはこれら双方の周辺に分散配置されて吸着される複数の吸盤からなることを特徴とするおむつ。
【請求項２】
収納口から排泄物を受け入れて内部に貯溜する貯溜部と、
着用者の臀部の肛門または尿排泄口あるいはこれら双方の周辺に取り付けられ、前記収納口を着用者の肛門または尿排泄口あるいはこれら双方の直下に位置させて保持する保持部と、を備え、
前記保持部は、前記臀部の外面に沿った形状に形成されているとともに該形状に保持される形状保持性を有することを特徴とするおむつ。
【請求項３】
前記貯溜部は、通常は折り畳まれた状態にあり、前記排泄物の排出時は内容積が拡張することを特徴とする請求項１または請求項２に記載のおむつ。
【請求項４】
消臭剤、香料剤、凝固剤の全てまたはいずれかが含まれていることを特徴とする請求項１乃至請求項３のいずれかに記載のおむつ。
【発明の詳細な説明】
【技術分野】
【０００１】
本発明は、寝たきりの病人や高齢者、乳幼児、障害者等に取り付けられるおむつに関するものである。
【背景技術】
【０００２】
寝たきりの病人や高齢者等向けに各種おむつが商品化されている。おむつには、収納口から排泄物を内部に収納する貯溜部を備えたものがある。この種のおむつには、使用、処理等の使い勝手を良くするために例えば特許文献１に記載されたおむつが知られている。特許文献１に記載のおむつは、袋の筒部を蛇腹状に折り重ねてその中空開放端を穴のあるおむつの内側に貼付して穴明きおむつパッドとし、臀部・パッド表面の排便を清拭しながら排出口に引出して集め、液不透過性裏面シートで包まれる裏返し袋状に手を汚さず排出して密封するものである。
【０００３】
しかし、特許文献１のおむつは、臀部への取付手段が設けられていないので、排出口が肛門の位置からずれるおそれがある。一方、特許文献２には、接着剤や接着テープを使用して身体に取り付けられるおむつが記載されている。これによれば、おむつの排出口が肛門からずれるのを防止することができる。
【先行技術文献】
【特許文献】
【０００４】
【特許文献１】特開２００６−３２０５９３号公報
【特許文献２】特表２００３−５２７２０１号公報
【発明の概要】
【発明が解決しようとする課題】
【０００５】
しかし、特許文献２に記載のおむつは、接着剤や接着テープを使用して身体に取り付けるものであるから、接着部分の皮膚がかぶれたりかゆみを生じるおそれがある。したがって、長期間使用することは好ましくないことがある。
【０００６】
そこで、本発明は、収納口から排泄物を内部に収納する貯溜部を備えるものにおいて、皮膚にかぶれやかゆみを生じさせることなく、収納口の位置を肛門等の直下に安定して保持することができるおむつの提供を課題とする。
【課題を解決するための手段】
【０００７】
請求項１のおむつは、収納口から排泄物を受け入れて内部に貯溜する貯溜部と、着用者の臀部の肛門または尿排泄口あるいはこれら双方の周辺に取り付けられ、前記収納口を着用者の肛門または尿排泄口あるいはこれら双方の直下に位置させて保持する保持部と、を備え、前記保持部は、前記肛門または尿排泄口あるいはこれら双方の周辺に分散配置されて吸着される複数の吸盤からなる。
【０００８】
請求項２のおむつは、収納口から排泄物を受け入れて内部に貯溜する貯溜部と、着用者の臀部の肛門または尿排泄口あるいはこれら双方の周辺に取り付けられ、前記収納口を着用者の肛門または尿排泄口あるいはこれら双方の直下に位置させて保持する保持部と、を備え、前記保持部は、前記臀部の外面に沿った形状に形成されているとともに該形状に保持される形状保持性を有する。
【０００９】
請求項３のおむつは、特に、貯溜部が、通常は折り畳まれた状態にあり、排泄物の排出時は内容積が拡張するものである。
請求項４のおむつは、特に、消臭剤、香料剤、凝固剤の全てまたはいずれかが含まれたものである。
【発明の効果】
【００１０】
請求項１の発明は、貯溜部の収納口を着用者の肛門等の直下に位置させて保持する保持部を備えているので、着用する際には収納口を着用者の肛門等の直下に的確かつ簡単に位置させることができる。また、使用中は収納口を肛門等の直下に安定して保持することができる。更に、保持部は複数の吸盤からなり、吸盤の吸引力により貯溜部が移動するのを防止するので、接着剤等により皮膚がかぶれたりかゆみを生じたりすることなく、収納口の位置を肛門等の直下に保持することができる。ここで、肛門等には肛門の他、尿排泄口、肛門と尿排泄口の双方が含まれる。以下に同じである。
【００１１】
請求項２の発明は、保持部が、臀部の外面に沿った形状に保持される形状保持性を有するものであるから、請求項１の発明と同様に、接着剤等により皮膚がかぶれたりかゆみを生じたりすることなく、収納口の位置を肛門等の直下に保持することができる。
【００１２】
請求項３の発明は、通常は貯溜部を折り畳まれた状態にすることによって嵩張らないものとして臀部に装着できる。また、排泄物の排出時は貯溜部の内容積は拡張するので、排泄物を貯溜部内に確実に収容できる。
請求項４の発明は、消臭剤、香料剤、凝固剤の各薬剤による効果が得られる。
【図面の簡単な説明】
【００１３】
【図１】本発明の第一実施形態のおむつを示す平面図である。
【図２】図１のＡ−Ａ切断線による断面図である。
【図３】図２の貯溜部の排泄時における状態を示す断面図である。
【図４】本発明の第二実施形態のおむつを示す断面図である。
【図５】図４の貯溜部の排泄時における状態を示す断面図である。
【発明を実施するための形態】
【００１４】
〈第一実施形態〉
以下、本発明の第一実施形態のおむつを図に基づいて説明する。なお、図１は着用者側から見た平面図である。
本実施形態のおむつは、寝たきりの病人や高齢者、乳幼児、障害者等の着用者の肛門直下に取り付けられ、排泄物としての排便を内部に貯溜するものである。なお、おむつは、必要に応じて、外側にカバーやパンツが一体にまたは別体として付設される。
【００１５】
図１及び図２において、おむつ１Ａは、収納口１２から排泄物を受け入れて内部に貯溜する貯溜部１１と、着用者の臀部５１の肛門５２周辺に取り付けられ、貯溜部１１の収納口１２を着用者の肛門５２の直下に位置させて保持する保持部２１と、を備えている。加えて、保持部２１は、肛門５２周辺に分散して配置されて臀部５１に吸着される複数の吸盤２２からなっている。
【００１６】
まず、貯溜部１１は、布材、紙材、軟質樹脂材、ゴム材等で形成され、必要に応じて、内部には排尿等の液体を吸収する吸収材が収納され、あるいは内面が液体を吸収する吸収性素材で内張りされている。貯溜部１１は、排泄物を収容可能な容積を有し、蛇腹構造をなし、通常は、深さ方向に伸縮させて折り畳まれるようになっている。これにより、貯溜部１１は嵩張らず、コンパクトなものとなっている。貯溜部１１は、排泄物が収納口１２から内部に進入してきたときには内容積が拡張する。貯溜部１１の収納口１２は、円形、楕円形、矩形、半円形等の形状に形成されている。更に、収納口１２の外周部分には全周に至って図２の略水平方向に向けて円環状の鍔部１３が一体に延出されている。
【００１７】
保持部２１は、複数、本実施形態では８個の小型の吸盤２２からなっている。８個の吸盤２２は、周方向にほぼ等間隔で肛門５２の周辺に分散して配置され、臀部５１の皮膚面に直接吸着されるようになっている。吸盤２２はゴム材や軟質樹脂材により略半球面形状に形成されている。但し、吸盤２２はこの形状に限られるものではなく、例えば、偏平な略円盤形状のものであってもよい。各吸盤２２は連結部２３によって貯溜部１１の鍔部１３に接合されている。保持部２１は貯溜部１１と一体に成形することも可能であるし、２以上に分割したものを接合して形成することもできる。なお、各吸盤２２は全て同一のものであってもよいし、互いに大きさ、形状等が異なるものであってもよい。吸盤２２は吸引によって臀部５１の皮膚面に取着されるから、取り付け、取り外しを簡単に行なうことができる。
【００１８】
貯溜部１１には、消臭剤、香料剤、凝固剤の全てまたはいずれかを含ませてもよい。これらの薬剤は予め素材材質に添加しておいてもよいし、貯溜部１１の内部または外部に付帯させてもよい。これにより、各薬剤による効果が更に得られる。
【００１９】
このように構成されたおむつ１Ａを着用するには、貯溜部１１の収納口１２を肛門５２の直下に僅かな空間を隔てて配置した後、保持部２１の各吸盤２２を着用者の臀部５１の肛門５２の周辺に分散して配置する。このとき、貯溜部１１の鍔部１３と吸盤２２とを連結する連結部２３をゴム材などの伸縮材で形成しておけば、貯溜部１１に対して吸盤２２の位置をある程度の範囲で変位させることができるので、各吸盤２２を外方に引張ったりして吸着し易い位置に移動させて取り付けることができる。ここで、吸盤２２を使用するのであるから、簡単におむつ１Ａを取り付けることができるし、位置がずれていた場合は、吸盤２２を脱着することにより簡単に位置を調整できる。なお、おむつ１Ａの取り付けは、使用者が寝た状態であっても立ち姿勢の状態であっても行なうことができる。
【００２０】
このようにして、おむつ１Ａを取り付けた後、排泄したときは、排泄物は貯溜部１１の収納口１２から内部に進入し、それに伴って、図３に示すように、蛇腹構造の貯溜部１１の内容積は拡張して内部に収納される。その後は、吸盤２２を外すことによっておむつ１Ａは簡単に臀部５１から取り外し、排泄物を処理することができる。
【００２１】
次に、上記実施形態のおむつ１Ａの作用を説明する。
おむつ１Ａは、貯溜部１１の収納口１２を着用者の肛門５２の直下に位置させて保持する保持部２１を備えているので、着用する際には収納口１２を着用者の肛門５２の直下に的確かつ簡単に位置させることができる。また、使用中は収納口１２を肛門５２の直下に安定して保持することができる。
【００２２】
更に、保持部２１は複数の吸盤２２からなるので、それによる吸着により貯溜部１１が移動するのを阻止し、収納口１２を肛門５２の直下に安定して保持することができる。また、吸盤２２により取り付けるのであるから、おむつ１Ａを簡単に着脱できる。加えて、複数の吸盤２２を使用しているので、仮にいずれかの吸盤２２が外れたとしても、他の吸盤２２の保持により、収納口１２が位置ずれするのを防止できる。そして、複数の吸盤２２で取り付けるので、吸盤２２を小型化でき、装着時の吸盤２２による違和感を軽減したりなくすことができる。加えて、保持部２１は、接着剤による接着や接着テープの貼着により保持するものでないので、皮膚にかぶれやかゆみ等を生じない。
【００２３】
ところで、上記実施形態の保持部２１は、複数の小型の吸盤２２で形成しているが、肛門５２の全体を覆うことができれば１個の吸盤で形成してもよい。
【００２４】
〈第二実施形態〉
次に、本発明の第二実施形態のおむつ１Ｂを説明する。
図４において、おむつ１Ｂは、収納口３２から排泄物を受け入れて内部に貯溜する貯溜部３１と、貯溜部３１の収納口３２を着用者の肛門５２の直下に位置させて保持する保持部４１と、を備えている。
【００２５】
貯溜部３１は、布材、紙材、軟質樹脂材、ゴム材等で形成され、排泄物を収容可能な容積を有し、必要に応じて、内部には排尿等の液体を吸収する吸収材が収納され、あるいは内面が液体を吸収する吸収性素材で内張りされている。貯溜部３１は、図４の上部を除いて肛門５２側に僅かに湾曲した状態に折り込まれており、排泄時には、図５に示すように、上部を除いた部分が上下反転して肛門５２と反対側に球状に膨出する形状に形成される。
【００２６】
保持部４１は、収納口３２の外周側に張り出した円環状の板材で形成されている。保持部４１は、樹脂材、ゴム材等を使用し、僅かに湾曲面になっていて臀部５１の外面に沿った形状に形成されているとともに、その形状に保持される形状保持性を有している。また、保持部４１は、必要に応じて臀部５１との当接面に布材、紙材、ゴム材等からなる薄板状のクッション材が貼着されている。更に、保持部４１は、貯溜部３１と同一材質で形成してこれと一体に形成してもよく、異材質のものを接合した別体構造のものとしてもよい。
【００２７】
このように構成されたおむつ１Ｂを着用するときは、貯溜部３１の収納口３２を肛門５２の直下に僅かな空間を隔てて配置しつつ保持部４１を臀部５１の肛門５２周辺に押し当てるようにあてがうと、保持部４１は、臀部５１の外面に合致した形状に形成されているので、自ずと臀部５１の所定位置に収まる。保持部４１が所定位置に収まった後は、臀部５１の外面と保持部４１との形状に規制されておむつ１Ｂはずれにくくなる。したがって、おむつ１Ｂは、収納口３２を簡単に所定位置である肛門５２の直下に保持させることができる。
【００２８】
なお、おむつ１Ｂは、単に臀部５１の所定位置にあてがっているだけであるからそのまま外れるものであるが、主として寝た状態で使用するときに適するものであり、その状態においては貯溜部３１はベッドのマットや敷き布団などにより下方から押さえられるため、位置ずれしにくい。したがって、おむつ１Ｂは特に寝たきりの高齢者や病人に好適に使用される。なお、おむつ１Ｂの取り付けは、使用者が寝た状態であっても簡単に行なうことができる。
【００２９】
おむつ１Ｂを取り付けた後、排泄したときは、排泄物は貯溜部３１の収納口３２から内部に進入し、それに伴って、貯溜部３１は、図５に示すように、上部を除いて反転し内部空間が拡張され、排泄物は内部に収納される。
【００３０】
おむつ１Ｂは、保持部４１を単に臀部５１の外面に合致した形状に形成したものであるから、簡単に貯溜部３１の収納口３２を肛門５２の直下に位置させることができ、また、簡易な構成で簡単に製造でき、更には、接着テープを貼着して保持していないので、皮膚にかぶれやかゆみを生じない。
【００３１】
なお、第二実施形態のおむつ１Ｂの貯溜部３１は、第一実施形態の図１乃至図３に示した貯溜部１１と同様の蛇腹構造のものとしてもよい。そして、第一実施形態及び第二実施形態の貯溜部１１，３１は、更に別の形状や構造のものとしてもよい。
【００３２】
ところで、上記第一実施形態の保持部２１は、吸盤２２による吸着によって臀部５１に取り付けて保持し、また、第二実施形態の保持部４１は、臀部５１に合致した形状に形成するとともに形状保持性を備えることによって臀部５１に保持するものとしているが、本発明の保持部はこれらに限定されるものではない。
【００３３】
更に、上記各実施形態のおむつ１Ａ，１Ｂは、収納口１２，３２を肛門５２の直下に保持させ、排泄物として排便を収納するものを示しているが、本発明のおむつは、図示しないが、収納口１２，３２を尿排泄口の直下に保持させ、排泄物として排尿を収納するものとすることもでき、また、収納口１２，３２を少し大きくしてこれを肛門５２及び尿排泄口の直下に保持させ、排泄物として排便及び排尿を同時に収納するものとすることもできる。
【産業上の利用可能性】
【００３４】
本発明は、おむつを製造する産業で利用される。
【符号の説明】
【００３５】
１Ａ、１Ｂ  おむつ
１１、３１  貯溜部
１２、３２  収納口
２１、４１  保持部
２２  吸盤
５１  臀部
５２  肛門
【図１】
2017006660.tif 000003
【図２】
2017006660.tif 000004
【図３】
2017006660.tif 000005
【図４】
2017006660.tif 000006
【図５】
2017006660.tif 000007